(57)【要約】      （修正有）【課題】ペットの顔に温風を吹き付けることのないペットの乾燥機とすることにより、ペットが目の病気を罹患しやすくなる問題や、ペットが鼻や肺の病気を罹患しやすくなる問題のないペットの乾燥機を提供する。【解決手段】ケーシング３の中に５０％以上の開口率を有する部材からなる円筒形状の籠２を設け、円筒面２ｃの外側を公転するノズルダクト７ｃを設ける。そして、ノズルダクト７ｃに空気を送風するブロア１０と、空気を暖めるヒータ９ｂとを設けた。長穴４ａを有する扉（長穴面）４と、穴６ａを有する首穴板６を重ねてなる首穴高さ調節機構を有する扉４をケーシング３に取り付ける。【選択図】図１
0003112779.tif 000002
【実用新案登録請求の範囲】
【請求項１】
ペットの乾燥機に取り付ける首穴高さ調節機構であって、上下方向に長大な長穴を有する長穴面と穴を有する首穴板を重ねて、前記長穴と前記穴とで構成する開口を首穴とし、前記首穴板をひっくり返して取り付けたり又は別の首穴板と取り替えて取り付けることにより、前記首穴の高さを調節可能にしたことを特徴とする首穴高さ調節機構。
【請求項２】
請求項１に記載した首穴高さ調節機構であって、長穴が上部の概略半円弧と下部の概略半円弧と前記上下の概略半円弧を結ぶ２本の直線とで区画した長穴であることを特徴とする首穴高さ調節機構。
【請求項３】
請求項１又は請求項２のいずれかに記載した首穴高さ調節機構であって、首穴板のガイド及び前記首穴板の位置決めを行う停止具とを有することを特徴とする首穴高さ調節機構。
【請求項４】
請求項２又は請求項３のいずれかに記載した首穴高さ調節機構において、上部の概略半円弧の半径を下部の概略半円弧の半径より大きなものとしたことを特徴とする首穴高さ調節機構。
【請求項５】
請求項１〜請求項４のいずれかに記載した首穴高さ調節機構を有することを特徴とする扉。
【請求項６】
請求項５に記載した扉を有することを特徴とするペットの乾燥機。
【請求項７】
請求項６に記載したペットの乾燥機であって、５０％以上の開口率を有する部材からなる円筒面又は略円筒面（以下単に「円筒面」という。）を有する籠と、前記円筒面の外側を公転し前記円筒面側にノズルを有するノズルダクトと、前記ノズルダクトに空気を送風するブロアと、前記ブロアで送風する空気を暖めるヒータとを有することを特徴とするペットの乾燥機。
【考案の詳細な説明】
【技術分野】
【０００１】
本考案は、家庭で飼育するペットを洗った後に、各家庭においてペットを乾かすために使用することに適したペットの乾燥機に関する。
特にサイズの異なるペットを乾燥させるときに有用な首穴高さ調節機構、同首穴高さ調節機構を有する扉、さらにはそのような扉を有するペットの乾燥機に関する。
【背景技術】
【０００２】
家庭で犬、猫、ウサギ、フェレットなどをペットとして飼育している場合、特に屋内でペットを飼育する場合は頻繁にペットを洗うことが多い。通常ペットを洗うときは、風呂場でペットを洗った後にタオルで拭き、その後ドライヤーを使用して温風を吹き付けてペットを乾燥させていた。
しかし体全体に長い毛を有するペットの場合は、乾燥のために長時間を要する問題があった。また、ペットはおとなしくじっとしていることは少なく常に動くため、ペットを静止させるために手間がかかり飼い主に大きな負担となっていた。さらに、ペットから抜け落ちた毛が舞いあがり部屋の中に毛が散乱して掃除の手間がかかる問題を有していた。
そこで、ケーシングの中に設けた開口率の高い部材からなる概略円筒形状の籠の中にペットを格納し、籠の概略円筒面の外側を公転するノズルダクトを設け、ノズルダクトの概略円筒面側にノズルを設けて、ヒータで暖めた温風をノズルからペットに向かって吹き出させるペットの乾燥機を試作してテストした。
しかし上記考案には、ペットの顔に温風を吹き付けると、目が乾燥してしまうためペットが目の病気を罹患しやすくなる問題や、鼻の中の粘膜や肺を乾燥させてしまうためペットが鼻や肺の病気を罹患しやすくなる問題を有していた。
さらに、ペットには小型のペットから大型のぺットまであり、小型専用のペットの乾燥機から大型専用のペットの乾燥機まで、ペットのサイズ毎に乾燥機を用意することは経済でない。
【考案の開示】
【考案が解決しようとする課題】
【０００３】
本考案の目的は、ペットの顔に温風を吹き付けことのないペットの乾燥機とすることにより、ペットが目の病気を罹患しやすくなる問題や、ペットが鼻や肺の病気を罹患しやすくなる問題のないペットの乾燥機を提供することにある。
とくに、小型のペットから中型のペットまで、あるいは中型のペットから大型のペットまで使用可能な乾燥機を提供することにより、適用範囲の広いペットの乾燥機を提供する
ことにある。
【課題を解決するための手段】
【０００４】
ペットを格納することを可能とした籠であって、５０％以上の開口率を有する部材からなる略円筒面を有する概略円筒形状の籠を設ける。
また、籠の概略円筒面の外側を公転するノズルダクトを設け、ノズルダクトの概略円筒面側にノズルを設ける。そして、ノズルダクトに空気を送風するブロアと、ブロアで送風する空気を暖めるヒータとを有するペットの乾燥機とする。
さらに、装置を囲うケーシングを設け、首穴高さ調節機構を有する扉を取り付ける。そ
して首穴高さ調節機構を、長穴を有する長穴面と、穴を有する首穴板を重ねてなる首穴高さ調節機構とする。
【考案の効果】
【０００５】
本考案により、扉に首穴を設けたペットの乾燥機として、ペットが首穴から首を出すように構成したので、温風の吹き付けを最も効率よく受ける位置にペットを静止させることが可能となると同時に、ペットは顔に温風の吹き付けを受けることがなくなり、ペットが目や鼻や肺の病気を罹患する問題がなくなる効果が得られた。
また首穴高さ調節機構を設けたので、小型のペットから中型のペットまで、あるいは中型のペットから大型のペットまで、それぞれ使用可能な乾燥機であって適用範囲の広いペットの乾燥機を提供することができた。
【考案を実施するための最良の形態】
【０００６】
請求項１の考案は、ペットの乾燥機に取り付ける首穴高さ調節機構であって、上下方向に長大な長穴を有する長穴面と穴を有する首穴板を重ねて、前記長穴と前記穴とで構成する開口を首穴とし、前記首穴板を上下ひっくり返して取り付けたり又は別の首穴板と取り替えて取り付けることにより、前記首穴の高さを調節可能にした首穴高さ調節機構とする。
本考案を実施する方法には、穴を開けた首穴板を上下ひっくり返して取り付けることにより２段階に首穴高さを調節する方法がある。また、それぞれ位置を変えて穴を有する複数枚の首穴板を保有して、首穴板を取り替えて取り付けることにより複数段に首穴高さを調節する方法がある。
首穴板を長穴面に取り付ける方法としては、バネの反発力を使って固定する方法や、吊り具を使用して首穴板を吊り下げる方法、枠の中に首穴板をはめ込みストッパやパッチン錠で固定する方法などあり、首穴板の取り付け方法にこだわるものではない。
請求項２の考案は、請求項１に記載した首穴高さ調節機構であって、長穴が上部の概略半円弧と下部の概略半円弧と前記上下の概略半円弧を結ぶ２本の直線とで区画した長穴である首穴高さ調節機構とする。
直線だけで構成した角立つ穴と比べ概略半円弧と接線で構成した穴の方がペットの首との間にできる隙間が小さくなり、首穴を通過して流入出する空気の量が少なくなって、密閉性を求めるペットの乾燥機には好ましいからである。
【０００７】
請求項３の考案は、請求項１又は請求項２のいずれかに記載した首穴高さ調節機構であって、首穴板のガイド及び前記首穴板の位置決めを行う停止具とを有する首穴高さ調節機構とする。
本考案は請求項１又は請求項２の考案に対し、首穴板を長穴面に沿ってスライド可能に拘束するガイド、及び、首穴板の位置決めを行うためのストッパ、首穴板の位置決め用のピンやボルトやバネ又は首穴板の位置決め用のクランプなどの停止具を取り付けたものである。
請求項４の考案は、請求項２又は請求項３のいずれかに記載した首穴高さ調節機構において、上部の概略半円弧の半径を下部の概略半円弧の半径より大きなものとした首穴高さ調節機構とする。
低い位置に首を有するペットの首は細く、高い位置に首を有するペットの首は太いので、
首穴高さを低い位置に設定する場合は首穴を小さくし、首穴高さを高い位置に設定する場合は首穴を大きくして、首穴とペットの首との間の隙間を小さくしたものである。
請求項５の考案は、請求項１〜請求項４のいずれかに記載した首穴高さ調節機構を有する扉とする。
扉に高さ調節機構付きの首穴を取り付けると、ペットの乾燥機にペットを入れた飼い主が扉を閉めてそのまま扉の外に立てば、飼い主に触れ合おうとするペットの習性により、ペットは自発的に首穴から顔を出そうとする効果が得られるからである。
請求項６の考案は、請求項５に記載した扉を有するペットの乾燥機とする。
本考案によれば、ペットの顔に温風を吹き付けことのないペットの乾燥機とすることができ、ペットが目の病気を罹患しやすくなる問題や、ペットが鼻や肺の病気を罹患しやすくなる問題のないペットの乾燥機を提供することができる。
【０００８】
請求項７の考案は、請求項６に記載したペットの乾燥機であって、５０％以上の開口率を有する部材からなる円筒面又は略円筒面（以下単に「円筒面」という。）を有する籠と、前記円筒面の外側を公転し前記円筒面側にノズルを有するノズルダクトと、前記ノズルダクトに空気を送風するブロアと、前記ブロアで送風する空気を暖めるヒータとを有するペットの乾燥機とする。
籠は完全な円筒でなくてもよい。多角形の断面を有する筒とすることなどにより実質的に円筒形に近い略円筒面を有する籠を得ることは可能だからである。
円筒面の材料としては、打ち抜き材料、網状の材料、格子状の材料、簀の子状の材料、エキスパンドメタル状の材料などが考えられ、その全面積に対する空間の比率である開口率が５０％以上であることが好ましい。さらには６０％、７０％、８０％、９０％と開孔率を高くすれば高くする程好ましい。
開口率は高いほど好ましいが、あまり目の粗い材料でペットの足が乗る部分を構成するとペットが足を踏み外す問題が生じる。かかる場合には、ペットの足が乗る部分のみ開口率の低い部材として、他の部分に開口率の高い部材を用いることにより、全体として開口率が５０％さらにはもっと高い開口率になる籠とする方法は有効である。
そして、ノズルダクトの円筒面側には多数のノズルを設ける。
ノズルダクトを公転させる構成としては、籠の外側に設けた輪の形状を有する２本のレール上をノズルダクトが走行する構成としたり、回転するアームに取り付けたノズルダクトを籠の外側を公転させる構成とすることは好ましい。
この場合、ブロアからノズルダクトへのダクト配管の途中に回転継ぎ手を使用する必要がある。
また、送風管であって回転可能に保持されたダクト軸部とノズルダクトとを連結管で連結し、ダクト軸部の回転に伴い円筒面の外側をノズルダクトが公転するようにし、ダクト軸部を回転させるための回転駆動部を設ける構成も好ましい。
この場合、ブロアとダクト軸部とを連結する給気ダクトを設け、給気ダクトとダクト軸部との結合部には空気が漏れないようにシールを設けることが好ましい。
そして、ブロアの空気吸引部、ブロアからノズルダクトへのダクト配管又はブロアとダクト軸部とを連結する給気ダクトのいずれかの中にヒータを設ける。
【実施例１】
【０００９】
以下本発明の実施例１を図１〜図４に示し説明する。実施例１のペットの乾燥機１は小型から中型までのペット用の乾燥機である。
実施例１はケーシング３と、円板面２ｂを垂直にしてケーシング３に取り付けた籠２と、回転可能に保持したノズルアーム７と、ノズルアーム７を回転させる回転駆動部５及びブロア１０などを有するものとした。
ケーシング３の前面３ｂには扉４を取り付け、扉４はヒンジ１１を介して前面３ｂに対して開平可能に取り付けた。また、扉４には上部の概略半円弧４ｂと下部の概略半円弧４ｄと上下の概略半円弧４ｂ、４ｃを結ぶ接線である２本の直線４ｃとからなる長穴４ａを設け、扉４の面を長穴面とした。
また、上部の概略半円弧４ｂの半径の方が下部の概略半円弧４ｄの半径より大きな半径になるように構成した。そして、首穴板６を長穴面たる扉４に沿ってスライド可能に拘束する２本のガイド４ｅと、首穴板の位置決めを行うためのストッパ４ｆを停止具として取り付けた。
また、穴６ａを有する首穴板６を扉４に重ねて取り付けた。穴６ａの半径は扉の上部の概略半円弧４ｂの半径と同じ半径とし、穴６ａは首穴板６の小型辺６ｂ近くであって首穴板６の中型辺６ｃから離れた位置に設けた。
そして、小型辺６ｂを下にしてストッパ４ｆに当てると扉４の下部の概略半円弧４ｄの中心と穴６ａの中心が一致し、中型辺６ｃを下にしてストッパ４ｆに当てると扉４の上部の概略半円弧４ｂの中心と穴６ａの中心が一致するように構成した。
籠２は円筒面２ｃと、後方の円板面２ｂと、前方の円板面の全部を開口とした開口面２ａとからなる円筒形状を有するものとし、円筒面２ｃと円板面２ｂは開口率７０％以上のエキスパンドメタルを使用した。そして、開口面２ａをケーシング３の扉４に向けて取り付けた。
【００１０】
ノズルアーム７は、いずれも送風管としたダクト軸部７ｂと、ノズルダクト７ｃ及び連結管７ｄとからなり、ノズルダクト７ｃの円筒面２ｃ側及び連結管７ｄの円板面２ｂ側には多数のノズル７ａを設けた。
また、支持フレーム８によりケーシングの床面３ａに固定した軸受ケース８ｂを設け、軸受ケース８ｂに取り付けた２個のベアリング８ａを介してダクト軸部７ｂを回転可能に保持し、ダクト軸部７ｂの回転中心と籠の円筒面２ｃの中心とを一致させた。
さらに、モータ５ａと駆動ホイール５ｃと従動ホイール５ｂとからなる回転駆動部５を設け、従動ホイール５ｂをダクト軸部７ｂに取り付け、駆動ホイール５ｃと従動ホイール５ｂとが互いに押し合い接触するように構成した。
また、ダクト吸込口１２ａとダクト吹出口１２ｂとを有する曲がりダクト１２を設け、ダクト吸込口１２ａをケーシングの後面３ｃの穴に取り付け、ダクト吹出口１２ｂをブロア１０の空気吸引口１０ａに向けた。そして、ダクト吸込口１２ａ付近にファン１４を取り付けた。
さらに、ブロア１０の吹出口とダクト軸部７ｂとを給気ダクト９で連結し、給気ダクト９内にヒータ９ｂを取り付けた。そして、ダクト軸部７ｂと給気ダクト９の間にはシール９ａを取り付けた。
また、籠２の下には容器２０を設け、前面３ｂ側に取り付けた図示していない取っ手を押し引きすることにより、容器２０を引き出すことを可能に取り付けた。
また、ケーシング３には図示しない排気口を設けた。屋内に実施例１の乾燥機１を設置したときに、必要に応じて排気口から屋外までのダクト配管を設けることを可能な構成としたものである。
【００１１】
実施例１は上記のように構成されており、以下その作用について説明する。例えば風呂場などで犬を洗った後に乾燥させるため実施例１のペットの乾燥機を使用する飼い主は、首穴の高さを犬に合わせて設定する。
首穴板６をスライドさせてガイド４ｅから抜き出し、犬が小型の場合は小型辺６ｂを下にして、犬が中型の場合は中型辺６ｃを下にして、ガイド４ｅに差し込み小型辺６ｂ又は大型辺６ｃがストッパ４ｆに当たるまで差し込む。
このようにすると、犬が小型の場合は下部の概略半円弧４ｄと直線４ｃの下部と穴６ａの上方の円弧とで構成する首穴（図４（ａ）参照）となり、犬が中型の場合は扉４の上部の概略半円弧と一致する穴６ａで構成する首穴（図４（ｂ）参照）となる。  
そして、扉４を開けて犬を籠２に格納した後に扉４を閉める。飼い主が声がけすると犬は首穴から顔を出して飼い主に触れ合おうとする。このように、実施例１は小型の犬と中型の犬に合わせ２段階で首穴６ａの高さを調節可能としたものである。
その後モータ５ａとブロア１０とファン１４を駆動する。すると、駆動ホイール５ｃの回転に伴い従動ホイール５ｂは回転する。従動ホイール５ｂの回転と共にノズルアーム７は回転し、ノズルダクト７ｃは籠の円筒面２ｃの外側を公転する。
【００１２】
また、ファン１４に吸引された空気はダクト吸込口１２ａを通りダクト吹出口１２ｂからブロア１０の空気吸引口１０ａに向かって吹出す。
ファン１４により供給された空気とケーシング３内の空気はブロア１０により吸引され、給気ダクト９、ダクト軸部７ｂを通過して連結管７ｄ及びノズルダクト７ｃに供給され、ノズルダクト７ｃと連結管７ｄのノズル７ａから吹き出して、円周面２ｃと円板面２ｂの空間を通過して犬に吹き付ける。
そして、犬に吹き付けた後の湿った空気は再びブロア１０に吸引されるが、一部（ファン１４によって吸い込まれた量と同じ量のケーシング内の空気）はケーシング３に取り付けた図示しない排気口から外に流れる。
実施例１の発明では、ノズルアーム７は犬の回りを常に公転しているので、犬の体全体にまんべんなく温風を吹き付けることができ、犬の腹や、尾と体が接触する部分や、脇の下などにも温風を吹き付け、局部的に乾きの悪い部分が生じない。
また、常に移動しながら温風を吹き付ける構成とし、温風の当たる犬の部分が変化するようにしたため、温風の温度を摂氏５０〜７０度に上昇させることが可能となり、温度の高い温風を吹き付けることにより、より効率的に犬を乾かすことができる。
また、犬が扉４と首穴板６とで構成した首穴から顔を出した状態で温風を吹き付けるため、犬の顔に温風を吹き付けることがなく、犬が目や鼻や肺の病気を罹患しやすくなることはない。
犬の体から落下した水滴や毛などは、籠の下に置いた容器２０に収容されるので、容器２０を引き出して回収することは容易である。
【産業上の利用可能性】
【００１３】
本発明は、ペットの乾燥機を製造販売する産業、ペット関連物品を流通させたり販売する産業及びペットを対象としたトリミングサービスやホテルサービスなどを提供する産業に利用される。
【図面の簡単な説明】
【００１４】
【図１】前方左斜め上方から見た実施例１の斜視図である。
【図２】側面から見た実施例１の断面図である。
【図３】正面から見た扉と首穴板の正面図である。
【図４】小型犬用（ａ）及び中型犬用（ｂ）に首穴を設定した状態を表した正面図である。
【符号の説明】
【００１５】
１  ：ペットの乾燥機        ２  ：籠                    ２ａ：開口面
２ｂ：円板面                ２ｃ：円筒面                ３  ：ケーシング
３ａ：床面                  ３ｂ：前面                  ３ｃ：後面
４  ：扉（長穴面）          ４ａ：長穴                  ４ｂ：概略半円弧
４ｃ：直線                  ４ｄ：概略半円弧            ４ｅ：ガイド
４ｆ：ストッパ              ５  ：回転駆動部            ５ａ：モータ            ５ｂ：従動ホイール          ５ｃ：駆動ホイール          ６  ：首穴板
６ａ：穴                    ６ｂ：小型辺                ６ｃ：中型辺
７  ：ノズルアーム          ７ａ：ノズル                ７ｂ：ダクト軸部
７ｃ：ノズルダクト          ７ｄ：連結管                ８  ：支持フレーム
８ａ：ベアリング            ８ｂ：軸受ケース            ９  ：給気ダクト
９ａ：シール                ９ｂ：ヒータ              １０  ：ブロア
１０ａ：空気吸引口          １１  ：ヒンジ              １２  ：曲がりダクト
１２ａ：ダクト吸込口        １２ｂ：ダクト吹出口        １４  ：ファン
２０  ：容器
【図１】
0003112779.tif 000003
【図２】
0003112779.tif 000004
【図３】
0003112779.tif 000005
【図４】
0003112779.tif 000006